(57)【要約】【課題】人歩行性能に優れてメンテナンスの行いやすい緑化屋根を提供する。【解決手段】複数の山部１、１…を有する折板屋根２の上方に植栽トレイ３を配設してなる緑化屋根に関する。凸状の固定部４の両側に支持片５を突設して断面略ハット状の下地材６を形成する。山部１の頂部７に固定部４を固定することによって複数本の下地材６、６…を隣り合う山部１、１間に架設する。支持片５に植栽トレイ３を載置することによって隣り合う下地材６、６間に植栽トレイ３を設ける。下地材６で植栽トレイ３を支持して補強することができ、植栽トレイ３に人が乗っても破損することが無い。【選択図】図１
2008285849.tif 000002
【特許請求の範囲】
【請求項１】
複数の山部を有する折板屋根の上方に植栽トレイを配設してなる緑化屋根において、凸状の固定部の両側に支持片を突設して断面略ハット状の下地材を形成し、山部の頂部に固定部を固定することによって複数本の下地材を隣り合う山部間に架設し、植栽トレイの側端部の下端を支持片に載置して隣り合う下地材の支持片間に植栽トレイを載設して成ることを特徴とする緑化屋根。
【請求項２】
植栽トレイの側端面に突設したリブ片を下地材の固定部に載置して成ることを特徴とする請求項１に記載の緑化屋根。
【請求項３】
挟着部の上面にボルト部を突設して固定具を形成し、山部の頂部のハゼ連結部を挟着部で挟持することにより山部に固定具を取り付け、固定具のボルト部を下地材の固定部の頂部に挿着すると共に挟着部の上部を固定部の内側に収容し、挟着部の上面を固定具の頂部の下面に当接して成ることを特徴とする請求項１又は２に記載の緑化屋根。
【発明の詳細な説明】
【技術分野】
【０００１】
本発明は、折板屋根の上面を緑化して形成される緑化屋根に関するものである。
【背景技術】
【０００２】
近年、工場等の建物の屋根を植物で緑化した緑化屋根が提案されている。このような緑化屋根は、ヒートアイランド現象の緩和、ＣＯ２の削減、遮熱・断熱効果による冷暖房負荷の低減による省エネ効果、敷地の有効活用などに貢献している。
【０００３】
しかし、従来から提案されている緑化屋根では人歩行性能が低いという問題があった。例えば、特許文献１の発明では、繊維質の材質からなる植栽マット材を用いているために、人が歩行できる程度の強度を有さず、また、植栽マット材の長期にわたる保形性を確保するために、植栽マット材全体を下側から支える溝板を施工しなければならず、施工の簡便性や人歩行性能が低いものであった。また、特許文献２の発明では、皿状のトレイ本体に植物の培地となる土壌を入れた植栽トレイを使用しているため、上記の植栽マット材に比べて、それ自身の保形性は優れており、上記溝板等の施工の必要はないが、植栽トレイは薄板の折板の上面に載置されて支持されているために、植栽トレイの重量及び人の体重がかかることにより折板が変形するおそれがあった。従って、人歩行性能が低くてメンテナンスを充分に行えないという問題があった。
【特許文献１】特許第３５９００２０号公報
【特許文献２】特許第３７９０７５７号公報
【発明の開示】
【発明が解決しようとする課題】
【０００４】
本発明は上記の点に鑑みてなされたものであり、人歩行性能に優れてメンテナンスの行いやすい緑化屋根を提供することを目的とするものである。
【課題を解決するための手段】
【０００５】
本発明の請求項１に係る緑化屋根は、複数の山部１、１…を有する折板屋根２の上方に植栽トレイ３を配設してなる緑化屋根において、凸状の固定部４の両側に支持片５を突設して断面略ハット状の下地材６を形成し、山部１の頂部７に固定部４を固定することによって複数本の下地材６、６…を隣り合う山部１、１間に架設し、植栽トレイ３の側端部の下端を支持片５に載置して隣り合う下地材６、６の支持片５、５間に植栽トレイ３を載設して成ることを特徴とするものである。
【０００６】
本発明の請求項２に係る緑化屋根は、請求項１において、植栽トレイ３の側端面に突設したリブ片８を下地材６の固定部４の上面に載置して成ることを特徴とするものである。
【０００７】
本発明の請求項３に係る緑化屋根は、請求項１又は２において、挟着部９の上面にボルト部１０を突設して固定具１１を形成し、山部１の頂部７のハゼ連結部１２を挟着部９で挟持することにより山部１に固定具１１を取り付け、固定具１１のボルト部１０を下地材６の固定部４の頂部１３に挿着すると共に挟着部９の上部を固定部４の内側に収容し、挟着部９の上面を固定具４の頂部１３の下面に当接して成ることを特徴とするものである。
【発明の効果】
【０００８】
請求項１の発明では、下地材６で植栽トレイ３を支持して補強することができ、植栽トレイ３に人が乗っても破損することが無く、人歩行性能に優れてメンテナンスが行いやすくなるものである。
【０００９】
請求項２の発明では、下地材６の固定部４と支持片５の両方で植栽トレイ３を支持して補強することができ、下地材６の全体により植栽トレイ３を支持して植栽トレイ３の補強性を高くすることができるものである。
【００１０】
請求項３の発明では、固定具４の挟着部９で下地材６を補強することができ、下地材６の変形を防止して人歩行性能をさらに高くすることができるものである。
【発明を実施するための最良の形態】
【００１１】
以下、本発明を実施するための最良の形態を説明する。
【００１２】
本発明の緑化屋根は、図３に示すように、折板屋根２の上方に植栽トレイ３を配設して形成されるものである。
【００１３】
折板屋根２は、図４に示すように、屋根勾配の方向（例えば、軒棟方向）に長い複数の山部１、１…と谷部２０、２０…とを有して形成されており、山部１と谷部２０とは屋根勾配と直交する方向に交互に連なって形成されている。このような折板屋根２は複数の折板２１、２１…を連結して形成することができる。折板２１は塗装鋼板などの薄い金属板を折り曲げ加工するなどして長尺に形成されるものであって、谷部２０の両側端（長手端部）に半山部１ａ、１ａを斜め上方に突設して形成されるものである。そして、折板屋根２を形成するにあたっては、母屋などの屋根の構造材にタイトフレームを取り付け、このタイトフレームに折板２１を固定する。このとき、折板２１の長手方向が屋根勾配の方向と同じになるようにする。次に、タイトフレームに固定した折板２１の隣に他の折板２１を配置し、タイトフレームに固定する。この後、隣接する折板２１、２１の半山部１ａ、１ａの先端部同士をハゼ折り加工などにより連結する。このようにして複数の折板２１、２１…タイトフレームに固定しながら隣接する折板２１、２１の半山部１ａ、１ａ同士を連結することによって、折板屋根２を形成することができる。ここで、隣接して連結された半山部１ａ、１ａで山部１が形成され、その山部１の頂部７には上記のハゼ折り加工によりハゼ連結部１２が形成されている。
【００１４】
植栽トレイ３は、図５に示すように、トレイ本体３０と培地３１及び植生３２とから構成されている。図６（ａ）（ｂ）に示すように、トレイ本体３０は上面が開口する容器などで形成することができ、例えば、高密度ポリエチレンなどのプラスチックの成形品で形成することができる。トレイ本体３０の上面開口縁部にはその全周にわたって断面逆Ｕ字状の手持ち部３３が外側に突出して設けられている。また、トレイ本体３０の側端面（側壁の外側面）には複数のリブ片８、８…が一体に突設されている。図６（ｃ）に示すように、リブ片８はその上側略半分の部分が下側略半分の部分よりも外側（側方）に突出しており、このリブ片８の上側略半分の突出部分は載置部３４として形成されている。また、トレイ本体３０の下面には複数本の脚片３５、３５…が一体に突設されている。複数本の脚片３５、３５…は格子状に設けられており、各脚片３５の両側端部はリブ片８の下端に連続して一体に形成されている。培地３１は植生３２を育成するための土壌などを用いることができ、保水性に優れるものが好ましい。また、１ｍ２あたり４５〜６５ｋｇの軽量なものが好ましい。植生３２は培地３１に植えられる植物であって、耐久性の高い芝生（例えば、ティフ・ブレア）などを用いるのが好ましい。耐久性の高い植生３２を用いると、メンテナンスの際に植栽トレイ３の上を人が歩いて踏まれても摩耗が少なくなり、メンテナンスを容易に行うことができる。
【００１５】
本発明の緑化屋根は、折板屋根２の上方に植栽トレイ３を配設するにあたって、下地材６と固定具１１と押さえ具４０とを用いる。
【００１６】
下地材６はステンレス鋼製の形鋼などの金属材を用いて長尺に形成されるものであって、図７に示すように、凸状の固定部４の両側に支持片５を突設して断面略ハット状に形成されている。すなわち、下地材６は平坦な頂部１３と頂部１３の両端から下方に向かって突設された側部４９とからなる断面略逆Ｕ字状の固定部４と、固定部４の両方の側部４９の下端から外側（頂部１３と反対側の側方）に向かって略垂直に突設される支持片５、５とから形成されている。頂部１３には上下に貫通するボルト孔３６が形成されている。
【００１７】
固定具１１はステンレス鋼製などの金属材を用いて形成されるものであって、図８に示すように、挟着部９とボルト部１０とを備えて形成されている。挟着部９は一対の断面略コ字状の挟着部材９０を連結して形成されている。すなわち、挟着部材９０は、図９（ａ）〜（ｄ）に示すように、上板部９ａと、上板部９ａの一方の側端部から下方に向かって突設される側壁部９ｂと、側壁部９ｂの下端から上板部９ａ側に向かって斜め上方に突設される下板部９ｃと、下板部９ｃの先端に上板部９ａ側に向かって斜め上方に向かって突設される係止突部９ｄとを備えて形成されている。また、上板部９ａの略中央部には上下に貫通するボルト装着孔９１が形成されている。また、上板部９ａにはボルト装着孔９１から上板部９ａの前端又は後端（側端部と直交する端部）のいずれか一端にまで達するスリット９２が形成されている。また、上板部９ａはボルト装着孔９１及びスリット９２よりも先端部側の部分が接続部９ｅとして形成されており、ボルト装着孔９１及びスリット９２よりも基部側（側壁部９ｂ側）の部分が当接部９ｆとして形成されている。また、上板部９ａのボルト装着孔９１を挟んで前側部分又は後側部分にはスリット９２が形成されておらず、この部分が軸部９ｇとして形成されている。この軸部９ｇを介して当接部９ｆと接続部９ｅが連設されている。軸部９ｇは接続部９ｅ側に向かって下り傾斜しており、これにより、接続部９ｅは当接部９ｆよりもやや下方に位置している。
【００１８】
そして、一対の挟着部材９０、９０のスリット９２、９２同士をその先端開口から互いに差し込み合うと共に一方の挟着部材９０の軸部９ｇを他方の挟着部材９０のスリット９２に差し込むことによって、一対の挟着部材９０、９０を連結して挟着部９を形成することができる。このとき、一方の挟着部材９０の接続部９ｅは他方の挟着部材９０の下側に位置している。従って、この挟着部９では軸部９ｇ及びスリット９２を中心として挟着部材９０、９０が互いに近接離間するように回動自在に枢着して形成されている。
【００１９】
また、連結された一対の挟着部材９０、９０のボルト装着孔９１、９１は上下に重なり合い、そのボルト装着孔９１、９１にボルトを差し込んで装着することにより、挟着部９の上面にボルト部１０を突設することができる。このときボルト部１０の頭部は接続部９ｅ、９ｅの下面に当接してボルト装着孔９１、９１の下側開口縁部に係止される。
【００２０】
また、挟着部９よりも上側においてボルト部１０には複数（二つ）の締結具９３、９３が螺着されている。締結具９３はステンレス鋼などの金属材で形成されるものであって、フランジ付きナットのような形状である。すなわち、締結具９３はナット部３８の下端に押さえ板３７を全周にわたって突設して形成されている。
【００２１】
押さえ具４０はステンレス鋼などの金属材で形成されるものであって、図１０に示すように、平面視で略八角形の固定板４１と、固定板４１の四辺から下方に向かって突設される四つの係止片４２とから形成されている。係止片４２は略三角形状であり、固定板４１の一辺おきに設けられている。また、固定板４１の中心には上下に貫通する挿入孔４３が形成されている。
【００２２】
そして、本発明の緑化屋根を形成するにあたっては次のようにして行う。まず、折板屋根２の山部１の頂部７に固定具１１を取り付ける。固定具１１を山部１の頂部７に取り付けるにあたっては、ボルト部１０から締結具９３、９３を外した状態で、挟着部９の一対の挟着部材９０、９０を互いに回動させることによって、対向する一対の側壁部９ｂ、９ｂ及び下板部９ｃ、９ｃを互いに離れる方向に移動させて係止突部９ｄ、９ｄの間に隙間を形成し、この隙間に折板屋根２のハゼ連結部１２を挿入するようにして固定具１１を山部１の頂部７に配置し、この後、一対の挟着部材９０、９０を互いに回動させることによって、対向する一対の側壁部９ｂ、９ｂ及び下板部９ｃ、９ｃを互いに近づく方向に移動させて係止突部９ｄ、９ｄを互いに近づけ、係止突部９ｄ、９ｄ及び下板部９ｃ、９ｃの間にハゼ連結部１２を挟み込む。次に、図１１に示すように、挟着部９の上面に突出したボルト部１０に樹脂製のワッシャ９４を装着してボルト部１０がボルト装着孔９１から脱落しないように仮保持する。固定具１１は各山部１にその長手方向（屋根の傾斜方向）に並べて複数個ずつ取り付けられるが、隣り合う固定具１１、１１の間隔は植栽トレイ３の短手寸法とほぼ同じ程度である。
【００２３】
次に、図１２に示すように、複数本の下地材６、６…を隣り合う山部１、１の頂部７、７間に架設する。このとき、各下地材６はその固定部４を固定具１１により山部１の頂部７に固定する。すなわち、まず、下地材６のボルト孔３６に下側から固定具１１のボルト部１０を挿入しながら固定具１１の上側に下地材６を配置する。ここで、図１、２に示すように、固定具１１の挟着部９の上部（ハゼ連結部１２よりも上側に突出する部分）は、下地材６の内側（頂部１３と側部４９、４９で囲まれる空間）に収容すると共に挟持部９の上板部９ａの当接部９ｆの上面を下地材６の頂部１３の下面に当接する。このようにして固定具１１の挟着部９で下地材６の固定部４の頂部１３を支持することにより、下地材６を補強して変形を防止し、人歩行性能を高くすることができる。また、下地材６の支持片５は固定具１１の直ぐ横の位置でハゼ連結部１２の上に載置される。次に、一つ目の締結具９３をボルト部１０に螺着する。そして、螺着した締結具９３の押さえ板３７で下地材６の固定部４の頂部１３を上側から押圧し、押さえ板３７とボルト部１０の頭部の間で挟着部９の上板部９ａの当接部９ｆと下地材６の頂部１３とを上下に挟み込んで締め付ける。これにより、ボルト部１０の頭部１０で接続片９ｅ、９ｅが下から押圧されて固定具１１の下板部９ｃ、９ｃがさらに互いに近づくように一対の挟着部材９０、９０が回動するものであり、ハゼ連結部１２が係止突部９ｄ、９ｄでさらに強く挟み込まれると共に係止突部９ｄ、９ｄがハゼ連結部１２に係止される。このようにして固定具１１を山部１の頂部７に強固に固定することができると共に固定具１１を介して下地材６の固定部４を山部１の頂部７に固定することができる。下地材６は山部１の長手方向と直交する方向に架設して山部１に固定することができる。尚、複数の下地材６を長手方向に接続して必要な長さにしてもよい。
【００２４】
上記のようにして複数本の下地材６、６…を互いに略平行に架設した後、隣り合う下地材６、６の支持片５、５間に複数の植栽トレイ３、３…を並べて載設する。植栽トレイ３を配設するにあたっては、まず、地上で空のトレイ本体３０に培地３１を入れ、その後、培地３１に植生３２を植え付けることによって、植栽トレイ３を形成する。次に、複数の植栽トレイ３、３…を折板屋根２の上に持ち上げて隣り合う下地材６、６の間に配置する。このとき、トレイ本体３０の長手方向に並ぶリブ片８、８…の各載置部３４を下地材６の固定部４の上面（頂部１３の上面）に載置すると共にトレイ本体３０の側端部（長手端部）の下端に設けた脚部３５を下地材６の支持片５の上に載置する。また、図１３に示すように、下地材６の上側に突出するボルト部１０の周囲に四つのトレイ本体３０の各角部が位置するようにする。この後、図１４に示すように、トレイ本体３０よりも上側に突出するボルト部１０の上部に押さえ具４０を取り付ける。押さえ具４０はその挿入孔４３をボルト部１０の上部に挿入し、その上から二つ目の締結具９３をボルト部１０に螺着することによって、この螺着した締結具９３の押さえ板３７で押さえ具４０を上側から押圧するようにして取り付ける。また、ボルト部１０に取り付けた押さえ具４０の係止片４２は、ボルト部１０の周囲に配置したトレイ本体３０の角部の内側に差込まれる。従って、トレイ本体３０は、上面開口縁部が押さえ具４０の固定板４１により押さえつけられると共に角部が係止片４２により係止されることで、下地材６に載置されて固定される。このようにして複数の植栽トレイ３、３…を折板屋根２の上に並べて配設することによって、本発明の緑化屋根を形成することができる。尚、緑化屋根の周端部には図１のように断面コ字状の枠材４５と取り付けても良いし、図２のような水切り板４６を取り付けても良い。また、図１２〜１４では植栽トレイ３の培地３１と植生３２が図示省略されている。
【００２５】
そして、本発明の緑化屋根では、断面略ハット状の下地材６の固定部４と支持片５との両方で植栽トレイ３の側壁と底部とを支持することができる。従って、植栽トレイ３に人が乗っても破損することが無く、人歩行性能に優れてメンテナンスが行いやすくなるものである。
【００２６】
また、図１５のグラフで示すように、植栽トレイ３で覆われていない折板屋根２の日射面の温度と、植栽トレイ３で覆われている折板屋根２の緑化面の温度と差は最大で約２８℃になるという実験データが得られた。尚、曲線イは日射面の温度変化、曲線ロは緑化面の温度変化、曲線ハは外気の温度変化を示し、縦軸は温度、横軸は時刻を示す。
【図面の簡単な説明】
【００２７】
【図１】本発明の実施の形態の一例を示し、（ａ）（ｂ）は一部の断面図である。
【図２】同上の他の実施の形態の一例を示し、（ａ）（ｂ）は一部の断面図である。
【図３】同上の一部の斜視図である。
【図４】同上の折板屋根の一例を示す一部の斜視図である。
【図５】同上の植栽トレイの一例を示し、一部を省略した斜視図である。
【図６】同上のトレイ本体の一例を示し、（ａ）は表面側の斜視図、（ｂ）は裏面側の斜視図、（ｃ）は一部の断面図である。
【図７】同上の下地材の一例を示す一部の斜視図である。
【図８】同上の固定具の一例を示す斜視図である。
【図９】同上の固定具の挟着部材の一例を示し、（ａ）は平面図、（ｂ）は側面図、（ｃ）は正面図、（ｄ）は斜視図である。
【図１０】同上の押さえ具の一例を示す斜視図である。
【図１１】同上の固定具を取り付けた状態を示す斜視図である。
【図１２】同上の施工途中を示す一部の斜視図である。
【図１３】同上のトレイ本体の配置を示す一部の平面図である。
【図１４】同上の押さえ具を取り付けた状態を示し、（ａ）（ｂ）は一部の斜視図である。
【図１５】同上の緑化屋根の効果を示すグラフである。
【符号の説明】
【００２８】
１  山部
２  折板屋根
３  植栽トレイ
４  固定部
５  支持片
６  下地材
７  頂部
８  リブ片
９  挟着部
１０  ボルト部
１１  固定具
１２  ハゼ連結部
１３  頂部
【図１】
2008285849.tif 000003
【図２】
2008285849.tif 000004
【図３】
2008285849.tif 000005
【図４】
2008285849.tif 000006
【図５】
2008285849.tif 000007
【図６】
2008285849.tif 000008
【図７】
2008285849.tif 000009
【図８】
2008285849.tif 000010
【図９】
2008285849.tif 000011
【図１０】
2008285849.tif 000012
【図１１】
2008285849.tif 000013
【図１２】
2008285849.tif 000014
【図１３】
2008285849.tif 000015
【図１４】
2008285849.tif 000016
【図１５】
2008285849.tif 000017